(57)【特許請求の範囲】
【請求項１】
車体フレームの車両前方部の下方側に位置するとともに、前端部が該車体フレームの車
両前方部における前端部近傍まで延設されたフロントサブフレームと、車室の床面形成のため、該車室の下方側周辺に形成されるフロアパネルと、を備えた車体の前部構造であって、
上記フロアパネルの下面側には、該フロアパネルの前部近傍において、該フロントサブフレームの後端部付近に設けられた左右の後端支持部と締結される左右一対の取付部と、該取付部より後方側で、該フロアパネルより下方側に突出する左右一対のストッパ部とが形成され、
上記フロアパネルは、上記車体フレームの一部であって車両前後方向に延設される左右一対のフロアフレームと、該フロアフレームの前方部に位置する分岐部からそれぞれ車幅方向内側に分岐して、後方側に延設される左右一対の分岐フレームとに下方側から支持されており、
上記取付部は、上記分岐部あるいはその近傍において、該取付部の下面の高さが該取付部近傍の上記フロアフレームの下面の高さよりも高くなるよう形成され、
上記ストッパ部は、上記分岐部あるいはその近傍で、上記取付部よりも下方側に突出し且つ上記フロアフレームの車幅方向内側側面に隣接して接合されるとともに、該車幅方向内側側面から車幅方向内側に向かって延設されて上記分岐フレームに接合されており、
上記フロントサブフレームの後端支持部は、上記取付部の下面と、上記ストッパ部から車両前方に延設される延設支持部とに挟持され、且つ該取付部と該延設支持部とに締結されることを特徴とする車体の前部構造。
【請求項２】
車体フレームの車両前方部の下方側に位置するとともに、前端部が該車体フレームの車
両前方部における前端部近傍まで延設されたフロントサブフレームと、車室の床面形成のために、該車室の下方側周辺に形成されるフロアパネルと、を備えた車体の前部構造であって、
上記フロアパネルの下面側には、該フロアパネルの前部近傍において、上記フロントサブフレームの後端部付近に設けられた左右の後端支持部と締結される左右一対の取付部と、該取付部よりも後方側にて該フロアパネルより下方側に突出する左右一対のストッパ部とが形成され、
上記フロアパネルは、上記車体フレームの一部であって車両前後方向に延設される左右一対のフロアフレームと、該フロアフレームの前方部に位置する分岐部からそれぞれ車幅方向内側に分岐して、車両後方側に延設される左右一対の分岐フレームとに下方側から支持されており、
上記ストッパ部は、分岐部あるいはその近傍で、上記フロアフレームに隣接して接合されるとともに、該フロアフレームから車幅方向内側に向かって延設されて上記分岐フレームに接合されており、
上記フロアパネルの下面側には、車両前方視で閉断面状をなし、上記左右の取付部同士を連結する補強フレームが形成されており、
上記取付部及びストッパ部よりも上方で両者の間に跨るように車両前後方向に延設されて、車両側面視で上記フロアパネルとの間に閉断面を形成する左右一対のダッシュクロス端部パネルをさらに備え、
上記取付部及び上記ストッパ部は、取付部パネルの一部として構成されることにより該取付部パネルによって互いに連結され、
上記取付部パネルは、車両側面視で上記フロアパネルと上記ダッシュクロス端部パネルと該ダッシュクロス端部パネルの後方側に延設されたダッシュクロス端部延長部と協働して閉断面を形成していることを特徴とする車体の前部構造。
【請求項３】
上記フロントサブフレームの後端支持部は、外形が略円筒状で、且つその軸方向が略上下方向に沿うように配置される内外筒式ラバーブッシュを備えるとともに、該後端支持部は、該ラバーブッシュの上端部が、上記取付部の下面に接し、該ラバーブッシュの下端部が、上記延設支持部と接するように、該取付部に締結されることを特徴とする請求項１記載の車体の前部構造。
【請求項４】
上記ストッパ部は、該ストッパ部の下面の高さが、上記フロアフレーム下面の高さより高く且つ該取付部の下面の高さより低くなるよう形成されることを特徴とする請求項３記載の車体の前部構造。
【請求項５】
上記フロアパネルには、車両前方視で閉断面状をなし、上記左右の取付部同士を連結する補強フレームが形成されることを特徴とする請求項３又は４に記載の車体の前部構造。
【請求項６】
上記フロアパネルの車幅方向両端側近傍には、車両前後方向に延設されるサイドシルが
形成されており、上記フロアフレームの上記分岐部及びその近傍の部分と、該サイドシル
の前方部分とを接続する接続フレームが形成されることを特徴とする請求項１乃至５のいずれか一項に記載の車体の前部構造。
【発明の詳細な説明】
【技術分野】
【０００１】
本発明は、車体の前部構造に関し、特に、車体の前部構造は、車体フレーム前方部の下
方側にフロントサブフレームが配置されており、このフロントサブフレームの後端支持部
をフロアパネルに締結する技術に属す。
【背景技術】
【０００２】
従来、例えば、下記特許文献１記載のように、自動車（つまり、車両）の車体フレーム
（例えば、特許文献１における車体前部骨格メンバ１２に相当）の下方に、車両前後方向
に延設されるフロントサブフレームを、その前端部が車体フレームの前端付近まで延長す
るように設置することは公知である。
【０００３】
また、この特許文献１には、フロントサブフレームの後端に設けられる後端支持部を、
車室の前部付近における下方側のメンバに支持させるとともに、この後端支持部が支持さ
れる部分より後方側にストッパ部（特許文献１の図１２において図示されるストッパー１
７に相当）を設けることが記載されている。
【０００４】
このような構成により、例えば、車両と、車両の車体フレーム前端部の高さよりも低い
障害物との前方衝突であって、車幅方向から見て、衝撃荷重を略直線的に車体フレームで
受けることができない場合でも、フロントサブフレームにより、こうした衝突荷重を車幅
方向から見て略直線的に受け止めることが可能となる。また、特許文献１によれば、スト
ッパ部により、上述のような前方衝突時において、フロントサブフレームの後端部を支持
する連結部材が、後方側へ変位されるのを抑制している。
【特許文献１】特開２００２−１６０６６３号公報
【発明の開示】
【発明が解決しようとする課題】
【０００５】
ところで、上述のように、車両と、車両の車体フレーム前端部の高さよりも低い障害物
とが前方衝突する際には、フロントサブフレームに対して前方側から後方側にかけて大き
な衝突荷重が印加されることになるが、これによりフロントサブフレームの特に後端部が
後方側に後退すると、車室の下方側の構造が大きく変形されてしまう。
【０００６】
そこで、上述の特許文献１ように、フロントサブフレームの後端支持部が支持される部
分の後方側にストッパ部を設け、フロントサブフレームの後退を抑制することが考えられ
るが、単にストッパ部を設けただけでは、フロントサブフレームの後退を大幅に抑制する
ことは困難である。
【０００７】
本発明は、以上のような課題に勘案してなされたもので、その目的は、フロアパネル前
部付近に、フロントサブフレームの後端支持部と締結する取付部と、フロントサブフレー
ムの後退を抑制可能なストッパ部とを形成した車体の前部構造において、ストッパ部によ
るフロントサブフレームの後退抑制をより確実に行なうことにある。
【課題を解決するための手段】
【０００８】
このような目的を達成するために、本発明の請求項１記載の発明においては、車体フレームの車両前方部の下方側に位置するとともに、前端部が該車体フレームの車両前方部における前端部近傍まで延設されたフロントサブフレームと、車室の床面形成のため、該車室の下方側周辺に形成されるフロアパネルと、を備えた車体の前部構造を対象とする。
【０００９】
そして、上記フロアパネルの下面側には、該フロアパネルの前部近傍において、該フロントサブフレームの後端部付近に設けられた左右の後端支持部と締結される左右一対の取付部と、該取付部より後方側で、該フロアパネルより下方側に突出する左右一対のストッパ部とが形成され、上記フロアパネルは、上記車体フレームの一部であって車両前後方向に延設される左右一対のフロアフレームと、該フロアフレームの前方部に位置する分岐部からそれぞれ車幅方向内側に分岐して、後方側に延設される左右一対の分岐フレームとに下方側から支持されており、上記取付部は、上記分岐部あるいはその近傍において、該取付部の下面の高さが該取付部近傍の上記フロアフレームの下面の高さよりも高くなるよう形成され、上記ストッパ部は、上記分岐部あるいはその近傍で、上記取付部よりも下方側に突出し且つ上記フロアフレームの車幅方向内側側面に隣接して接合されるとともに、該車幅方向内側側面から車幅方向内側に向かって延設されて上記分岐フレームに接合されており、上記フロントサブフレームの後端支持部は、上記取付部の下面と、上記ストッパ部から車両前方に延設される延設支持部とに挟持され、且つ該取付部と該延設支持部とに締結されることを特徴とする。
【００１０】
このような構成によって、車両と、車両の車体フレーム前端部の高さよりも低い障害物
とが前方衝突した場合、これに起因する大きな衝突荷重は、フロントサブフレームを介し
て、フロントサブフレームの後端支持部を支持する取付部に伝達することになり、ストッ
パ部は、こうした衝突荷重を受けることになる。その際、本発明においては、ストッパ部
は、それぞれ車両前後方向に延設された分岐フレームとフロアフレームとが分岐される分
岐部あるいはその近傍で、フロアフレームに隣接して形成されているため、ストッパ部は
、衝突荷重を確実に受け止めて、受け止めた衝突荷重を分岐フレームとフロアフレームと
に確実に分散化できる。これにより、衝突による衝撃エネルギーの吸収性を向上させつつ
、フロントサブフレームの後退を確実に抑制できる。
【００１１】
また、車両と、車両の車体フレーム前端部と略同じ高さかそれより高い障害物とが前方
衝突した時には、これに起因して発生する大きな衝突荷重が、車体フレームの前方部を介
してフロアフレームまで伝達されることになる。その際、フロアフレームにはストッパ部
が隣接するよう形成されており、フロアフレームの剛性を高めているため、この伝達され
た衝突荷重に対するフロアフレームの衝撃エネルギーの吸収性を向上できる。
【００１２】
また、取付部の高さは、フロアフレームの高さよりも高くしているため、走行中、隆起
した路面に取付部周辺が接触するような場合でも、路面が取付部に直接接触して、取付部
が破損し、フロントサブフレームの車体フレームへの支持を悪化させるといった頻度を大
幅に減少できる。従って、取付部が破損した状態で前方衝突することを極力避けることが
できるため、衝撃エネルギーの吸収性向上とフロントサブフレームの確実な後退抑制とが
可能となる。
【００１３】
本発明の請求項２記載の発明においては、車体フレームの車両前方部の下方側に位置するとともに、前端部が該車体フレームの車両前方部における前端部近傍まで延設されたフロントサブフレームと、車室の床面形成のために、該車室の下方側周辺に形成されるフロアパネルと、を備えた車体の前部構造を対象とする。
【００１４】
そして、上記フロアパネルの下面側には、該フロアパネルの前部近傍において、上記フロントサブフレームの後端部付近に設けられた左右の後端支持部と締結される左右一対の取付部と、該取付部よりも後方側にて該フロアパネルより下方側に突出する左右一対のストッパ部とが形成され、上記フロアパネルは、上記車体フレームの一部であって車両前後方向に延設される左右一対のフロアフレームと、該フロアフレームの前方部に位置する分岐部からそれぞれ車幅方向内側に分岐して、車両後方側に延設される左右一対の分岐フレームとに下方側から支持されており、上記ストッパ部は、分岐部あるいはその近傍で、上記フロアフレームに隣接して接合されるとともに、該フロアフレームから車幅方向内側に向かって延設されて上記分岐フレームに接合されており、上記フロアパネルの下面側には、車両前方視で閉断面状をなし、上記左右の取付部同士を連結する補強フレームが形成されており、上記取付部及びストッパ部よりも上方で両者の間に跨るように車両前後方向に延設されて、車両側面視で上記フロアパネルとの間に閉断面を形成する左右一対のダッシュクロス端部パネルをさらに備え、上記取付部及び上記ストッパ部は、取付部パネルの一部として構成されることにより該取付部パネルによって互いに連結され、上記取付部パネルは、車両側面視で上記フロアパネルと上記ダッシュクロス端部パネルと該ダッシュクロス端部パネルの後方側に延設されたダッシュクロス端部延長部と協働して閉断面を形成していることを特徴とする。
【００１５】
このような構成によって、車両と、車両の車体フレーム前端部の高さよりも低い障害物
とが前方衝突した場合、これに起因する大きな衝突荷重は、フロントサブフレームを介し
て、フロントサブフレームの後端支持部を支持する取付部に伝達することになり、ストッ
パ部は、こうした衝突荷重を受けることになる。その際、本発明においては、ストッパ部
は、それぞれ車両前後方向に延設された分岐フレームとフロアフレームとが分岐される分
岐部あるいはその近傍で、フロアフレームに隣接して形成されているため、ストッパ部は
、衝突荷重を確実に受け止めて、受け止めた衝突荷重を分岐フレームとフロアフレームと
に確実に分散化できる。これにより、衝突による衝撃エネルギーの吸収性を向上させつつ
、フロントサブフレームの後退を確実に抑制できる。
【００１６】
また、車両と、車両の車体フレーム前端部と略同じ高さかそれより高い障害物とが前方
衝突した時には、これに起因して発生する大きな衝突荷重が、車体フレームの前方部を介
してフロアフレームまで伝達されることになる。その際、フロアフレームにはストッパ部
が隣接するよう形成されており、フロアフレームの剛性を高めているため、この伝達され
た衝突荷重に対するフロアフレームによる衝撃エネルギーの吸収性を向上できる。
【００１７】
また、取付部に伝達された衝突荷重を、補強フレームを介して一方側の取付部に伝達でき、より確実に衝撃エネルギーの吸収性を向上できる。
【００１８】
請求項３記載の発明は、請求項１において、上記フロントサブフレームの後端支持部は
、外形が略円筒状で、且つその軸方向が略上下方向に沿うように配置される内外筒式ラバ
ーブッシュを備えるとともに、該後端支持部は、該ラバーブッシュの上端部が、上記取付
部の下面に接し、該ラバーブッシュの下端部が、上記延設支持部と接するように、該取付部に締結されることを特徴とする。
【００１９】
このような構成により、フロントサブフレームの後端支持部を成すラバーブッシュの上
端部と下端部とを、ストッパ部にて連結支持させるため、フロントサブフレームを介して
伝達される衝突荷重を、確実にストッパ部に伝達でき、衝撃エネルギーの吸収性向上とフ
ロントサブフレームの確実な後退抑制とが可能となる。
【００２０】
請求項４記載の発明は、請求項３において、上記ストッパ部は、該ストッパ部の下面の
高さが、上記フロアフレーム下面の高さより高く且つ該取付部の下面の高さより低くなるよう形成されることを特徴とする。
【００２１】
このような構成によって、上記の請求項１のような構成においては、ストッパ部に延設
支持部が固定されることになるが、ストッパ部の下面の高さをフロアフレームの下面より
も高くできるため、走行中、隆起した路面にストッパ部周辺が接触するような場合でも、
路面がストッパ部に直接接触して、ストッパ部が破損する頻度を大幅に減少可能となる。
【００２２】
よって、ストッパ部によるフロントサブフレームの後端支持部への連結支持剛性が悪化
した状態で前方衝突する可能性を、極力低減できるため、衝撃エネルギーの吸収性向上と
フロントサブフレームの確実な後退抑制とが可能となる。
【００２３】
請求項５記載の発明は、請求項３又は４において、上記フロアパネルには、車両前方視で閉断面状をなし、上記左右の取付部同士を連結する補強フレームが形成されることを特徴とする。
【００２４】
このような構成により、取付部に伝達された衝突荷重を、補強フレームを介して一方側
の取付部に伝達でき、より確実に衝撃エネルギーの吸収性を向上できる。
【００２５】
請求項６記載の発明は、請求項１乃至５のいずれか一項において、上記フロアパネルの車幅方向両端側近傍には、車両前後方向に延設されるサイドシルが形成されており、上記フロアフレームの上記分岐部及びその近傍の部分と、該サイドシルの前方部分とを接続する接続フレームが形成されることを特徴とする。
【００２６】
このような構成により、取付部に伝達された衝突荷重を、サイドシルに伝達でき、より
確実に衝撃エネルギーの吸収性を向上できる。
【発明の効果】
【００２７】
以上のように、本発明に係る発明においては、車両と、車両の車体フレーム前端部の高
さよりも低い障害物とが前方衝突した場合、これに起因する大きな衝突荷重は、フロント
サブフレームを介して、フロントサブフレームの後端支持部を支持する取付部に伝達する
ことになり、ストッパ部は、こうした衝突荷重を受けることになる。その際、ストッパ部
は、衝突荷重を確実に受け止めて、受け止めた衝突荷重を分岐フレームとフロアフレーム
とに確実に分散化できる。これにより、衝突による衝撃エネルギーの吸収性を向上させつ
つ、フロントサブフレームの後退を確実に抑制できる。
【００２８】
また、車両と、車両の車体フレーム前端部と略同じ高さかそれより高い障害物とが前方
衝突した時には、これに起因して発生する大きな衝突荷重が、車体フレームの前方部を介
してフロアフレームまで伝達されることになる。その際、フロアフレームに隣接配置され
たストッパ部により、伝達された衝突荷重に対するフロアフレームによる衝撃エネルギー
の吸収性も向上できる。
【発明を実施するための最良の形態】
【００２９】
以下、本発明に係る実施形態を、図面に基づいて説明する。尚、各実施形態におけるフ
レーム、メンバは、特に断りのない限り鋼鉄製である。
【００３０】
図１は、本実施形態に係るフロントサブフレーム及び車体フレーム等を車両の下面から
見た図であり、図２は図１のＡ−Ａ断面図、図３はフロントサイドフレームのみを斜め前
方から見た斜視図、図４は図１のＢ−Ｂ断面図、図５は図１のＣ−Ｃ断面図、図６は図１
のＤ−Ｄ断面図、図７は図１のＥ−Ｅ断面図、図８は図１のＦ−Ｆ断面図である。
【００３１】
図１及図２に示すように、車体フレーム１は、車両前後方向に延設される左右一対のフ
ロントサイドフレーム２，２と、フロントサイドフレーム２，２の後方でフロントサイド
フレーム２，２に接続されるフロアフレーム３，３が配置されている。尚、フロントサイ
ドフレーム２，２の後方側の部分は、後方且つ下方に向けて傾斜したキックアップ部４，
４が形成されており、これによりフロントサイドフレーム２，２の前端部は、フロアフレ
ーム３に対してある程度高い位置に設置されることになる。
【００３２】
フロントサイドフレーム２，２の中間部近傍には、車両外方側に隣接して、図示しない
前輪を格納するホイールハウジング５，５が形成され、その中心付近には前輪を支持する
緩衝装置を格納するためのサスペンションタワー６，６が上方に倒立するよう形成されて
いる。
【００３３】
フロントサイドフレーム２，２の前端部には、樹脂製のバンパーフレーム７が前端部を
架け渡すように車幅方向に延設されており、バンパーフレーム７の内部には、衝撃緩衝部
材が設けられている。尚、本実施形態のおけるフロントサイドフレーム２，２には、所謂
クロスメンバは設けられていない。また、フロントサイドフレーム２，２に挟まれるよう
に形成されるエンジンルームＥに図示しないエンジンが搭載されている。
【００３４】
フロアフレーム３，３を上方から覆うようにフロアパネル８が設けられており、フロア
パネル８の前端部付近は、前方に位置するに従って上方側に向うよう延設され、その前端
部には、鉛直方向且つ上方に延設して、エンジンルーム８と車室９とを区分するダッシュ
パネル１０が形成されている。また、フロアパネル８の車幅方向中心部は、上方側に隆起
してトンネル部１１を形成しており、トンネル部１１には、図示しないエンジンの排気管
や、所謂ＦＲタイプの車両であればドライブシャフト等が格納されることになる。
【００３５】
フロアパネル８の車幅方向端部付近には、車幅方向が閉断面矩形状のサイドシル１２，
１２が形成されており、フロアフレーム３，３の前端部とサイドシル１２，１２とは、フ
ロアパネル８から下方側に隆起する接続フレーム１３，１３により接続されており、これ
により車両前方からの衝突荷重がフロアフレーム３，３から一部分岐してサイドシル１２
，１２にも入力可能となる。
【００３６】
フロントサイドフレーム２，２の下方には、車両前後方向に延設される左右一対のサイ
ドフレーム１４，１４と、サイドフレーム１４，１４のそれぞれの前端部同士及び後端部
同士を架け渡すよう車幅方向に延設されて固定される前側クロスメンバ１５及び後側クロ
スメンバ１６とから成るフロントサブフレーム１７が配置されている。
【００３７】
各サイドフレーム１４，１４の前端部には、前端支持部１８，１８が形成され、後端部
には、後端支持部１９，１９が形成されるとともに、後側クロスメンバ１６よりも若干前
方の中間部には、サイドフレーム１４，１４の上面から上方に向けて延設される縦メンバ
２０，２０を介してその先端に中間支持部２１，２１が形成されており、これらの支持部
は、それぞれ直ぐ上方のフロントサイドフレーム２，２の下面にて対応する位置に、ラバ
ーブッシュを介して支持されている。これにより、フロントサブフレーム１７は、計６ヶ
所にて、フロントサイドフレーム２，２に支持されることになる。
【００３８】
尚、本発明においては、サイドフレーム１４，１４は、必ずしもフロントサイドフレー
ム２，２に支持される必要はなく、車体フレーム１を構成するいずれかの構造体であって
もよい。
【００３９】
サイドフレーム１４，１４の前端部からは前方側に延設するように、車両前後方向の衝
突荷重に対して積極的に縮合されて衝撃エネルギーを吸収可能なクラッシュ管２２，２２
（特許請求の範囲に記載の「衝撃吸収部材」に相当）が設けられており、クラッシュ管２
２，２２の前端部同士は、車幅方向に延設されるレインフォースメント２３により固定さ
れている。クラッシュ管２２，２２は鋼鉄製で内部が空洞となるよう筒状に形成されるが
、レインフォースメント２３は、樹脂製となっている。また、レインフォースメント２３
は、上述のバンパーフレーム７の略直ぐ下方側に位置するよう設置される。
【００４０】
サイドフレーム１４，１４の前端支持部１８，１８より後方側から縦メンバ２０，２０
の基幹部分にかけて、屈曲促進部２４，２４が形成されている。
【００４１】
この屈曲促進部２４，２４は、前方部２５，２５と、後方部２６，２６とから構成され
ており、前方部２５，２５は、後方且つ下方に向けて傾斜するよう形成され、後方部２６
，２６は、これに対して後方に向って略水平に形成されている。
【００４２】
尚、本発明においては、前方部２５，２５の水平に対する傾斜角に対して、後方部２６
，２６の水平に対する傾斜角小さければよく、例えば、後方部２６，２６の傾斜角がマイ
ナスの値、つまり後方且つ上方に向けて傾斜していても構わない。
【００４３】
また、サイドフレーム１４，１４は、下方から見てそれぞれ略同じ形状をしている２枚
のパネル、つまり断面が凸状の上側パネル及び断面が凹状の下側パネル同士を重ね合わせ
ることで構成されているが、前方部２５，２５を形成する上側パネル２５ａ及び下側パネ
ル２５ｂの板厚は、後方部２６，２６を形成する上側パネル２６ａ及び下側パネル２６ｂ
の板厚よりも大きい。これにより、前方部２５，２５の前後方向における上下方向の曲げ
に対する強度は、後方部２６，２６の前後方向における上下方向の曲げに対する強度より
大きくなる。
【００４４】
尚、本発明においては、前方部２５，２５の前後方向における上下方向の曲げに対する
強度が、後方部２６，２６の当該曲げに対する強度より小さくなるように、前方部２５，
２５の上側パネル２５ａ及び下側パネル２５ｂの少なくとも一方の材質を、後方部２６，
２６の上側パネル２６ａ及び下側パネル２６ｂの少なくとも一方の材質よりも軟性の材料
で成形してもよい。
【００４５】
また、サイドフレーム１４，１４の後方部２６，２６においては、前方部２５，２５に
接続している後方部２６，２６の前端部から後方へ所定距離離間するまでの後方部前側部
位２６ｃ，２６ｃの幅（つまり、下方側から見たときの車幅方向の厚さ）は、当該後方部
前側部位２６ｃ、２６ｃより後方で縦メンバ２０，２０の基部までにおける後方部後側部
位２６ｄ，２６ｄの幅よりも小さくなるよう形成されている。また、サイドフレーム１４
，１４の縦メンバ２０の基部から後端部にかけての幅についても、後方部２６，２６の後
方部前側部位２６ｃ，２６ｃの幅よりも実質的に大きくなるよう形成されている。
【００４６】
本実施形態において、フロントサブフレーム１７のサイドフレーム１４，１４には、サ
スペンション機構の２本のロアアーム２７、２８が揺動可能となるよう接続されている。
【００４７】
具体的には、図３に示すように、サイドフレーム１４，１４の後方部後側部位２６ｄ，
２６ｄの車両外方側に、フロント側ロアアーム支持部２７が形成され、縦メンバ２０，２
０より後方側のサイドフレーム１４，１４の車両外方側に、リア側ロアアーム支持部２８
が形成されている。フロント側ロアアーム支持部２７とリア側ロアアーム支持部２８には
、それぞれ車両外方側に向けて、フロント側ロアアーム２９、リア側ロアアーム３０が揺
動可能に接続されており、これらフロント側ロアアーム２９及びリア側ロアアーム３０の
各外方側端部は、前輪を直接支持するホイールサポート（図示せず）に揺動可能に接続さ
れている。更に、図示しないが、フロントサイドフレーム２，２に接続されるアッパーア
ームもホイールサポートに接続されており、これらの構成により、サスペンション機構を
成している。
【００４８】
尚、本発明では、フロント側ロアアーム２９とリア側ロアアーム３０とは別体として説
明したが、ロアアームを所謂Ａ型ロアアームとし、フロント側ロアアーム２９とリア側ロ
アアーム３０とが車両外方側で固定されたものであってもよい。
（フロントサブフレーム１７の構成による作用及び効果）
以上のようなフロントサブフレーム１７の構成により、以下のような作用及び効果を奏
す。
【００４９】
先ずは、車両が、高さの低い障害物と前方衝突等した場合、障害物から受けた衝突荷重
は、レインフォースメント２３及びクラッシュ管２２，２２に入力され、これらが前後方
向に圧縮されながら縮合されることで（図２の一点破線参照）、衝撃エネルギーが吸収さ
れ衝撃荷重がある程度低減されることになる。また、レインフォースメント２３は車幅方
向に延設されているために、障害物が左右のクラッシュ管２２，２２の中間部分のみ衝突
した場合も、衝撃荷重をクラッシュ管２２，２２に伝達でき、これにより衝撃荷重の低減
が可能である。
【００５０】
衝突の度合が軽度な場合であれば、クラッシュ管２２，２２とレインフォースメント２
３とが縮合されるだけで衝突荷重を略零にすることができる。しかし、衝突度合が大で衝
突荷重が大きい場合には、クラッシュ管２２，２２及びレインフォースメント２３とによ
り衝撃エネルギー吸収されなかった衝突荷重が、フロントサブフレーム１７の特にサイド
フレーム１４，１４の略前後方向に沿って前方から後方に入力されることになる。この場
合、サイドフレーム１４，１４の前端支持部１８，１８及び中間支持部２１，２１との働
き、及び屈曲促進部２４，２４の前方部２５，２５と後方部２６，２６との働きにより、
サイドフレーム１４，１４は屈曲促進部２４，２４を中心として下方側に積極的に屈曲さ
れて、これによって、衝撃エネルギーが吸収され、衝突荷重が低減される。
【００５１】
具体的には、サイドフレーム１４，１４は、前端支持部１８，１８及び中間支持部２１
，２１とによりフロントサイドフレーム２，２に連結支持されており、また、屈曲促進部
２４，２４の前方部２５，２５は後方且つ下方に向けて傾斜しているのに対し、後方部２
６，２６は、略水平となるよう構成されている。
【００５２】
従って、サイドフレーム１４，１４の前端から入力された衝突荷重により、サイドフレ
ーム１４，１４の前端部は、高さを大幅下げることなく略同じ高さに維持しながら後方へ
変位する。一方、サイドフレーム１４，１４の中間支持部２１，２１は、サイドフレーム
１４，１４と縦メンバ２０，２０を介して強固に接続されている。従って、屈曲促進部２
４，２４の前方部２５，２５と後方部２６，２６との接続部分を中心としてモーメントが
働き、前方部２５，２５と後方部２６，２６とは、この接続部分を略中心として、前方部
２５の前端部が上方を向いて全体的に下方側に変位するように屈曲する。
【００５３】
また、このような屈曲促進部２４，２４の下方側への屈曲により、サイドフレーム１４
，１４がフロントサイドフレーム２，２の下面に当接し干渉することがなく、フロントサ
イドフレーム２，２は、大きな損壊を受けない。これにより、サイドフレーム１４，１４
が屈曲して、サイドフレーム１４，１４の前端支持部１８，１８と中間支持部２１，２１
との間の距離が短縮されようとしても、前端支持部１８，１８及び中間支持部２１，２１
が連結支持されているフロントサイドフレーム２，２は、上述のように損壊されないため
、前後方向の剛性が高い状態を維持し続ける。よって、衝突の初期において、サイドフレ
ーム１４，１４の屈曲に際して、フロントサイドフレーム２，２が一気に変形されて損壊
されることがなく、フロントサイドフレーム２，２による衝撃エネルギーの吸収を効率よ
く行なわせることができ、簡単な構成で衝突荷重の大幅な低減が可能となる。
【００５４】
この場合、上述のように衝突荷重がある程度クラッシュ管２２，２２とレインフォース
メント２３とによって低減されてサイドフレーム１４，１４に入力されるため、フロント
サイドフレーム２，２による高い剛性による衝撃エネルギー吸収性を発揮し易いように、
フロントサイドフレーム２，２に衝突荷重の一部を伝達でき、衝撃エネルギーの吸収性を
全体的に向上できる。
【００５５】
また、本実施形態においては、屈曲促進部２４，２４の前方部２５，２５と後方部２６
，２６との板厚や材質などを調整して、前方部２５，２５の前後方向における上下方向の
曲げに対する強度を、後方部２６，２６の当該強度よりも大きくしている。
【００５６】
これにより、屈曲促進部２４，２４が屈曲される際に前方部２５，２５の損壊が抑制で
きるため、確実に下方に屈曲させることができる。
【００５７】
更に、サイドフレーム１４，１４の後方部２６，２６は、後方部前側部位２６ｃ，２６
ｃの幅が、後方部後側部位２６ｄ，２６ｄの幅よりも小さくなるよう形成されている。こ
れにより、屈曲促進部２４，２４が下方側に屈曲される際に、サイドフレーム１４，１４
と中間支持部２１，２１との支持構造付近が大きく変形して、サイドフレーム１４，１４
と中間支持部２１，２１との連結強度の低下が抑制されて、屈曲促進部２４，２４を確実
に屈曲させることができる。
【００５８】
以上により、車両前方部での衝撃エネルギー吸収性を確実に向上できる。
（サイドフレーム１４，１４の前端支持部１８，１８の詳細構造について）
次に、サイドフレーム１４，１４の前端支持部１８，１８について、図4及び図５を参
照して説明する。
【００５９】
図４に示すように、クラッシュ管２２の後端部のフランジ部２２ａには、クラッシュ管
後端壁３１がクラッシュ管２２の後端開口部を覆うように固定されている。
【００６０】
また、サイドフレーム１４の前端部においては、前方部２５の上側パネル２５ａと下側
パネル２５ｂとが重ね合わされて、後述するようなフランジ結合により成形されており、
この場合、上側パネル２５ａの板厚は、下側パネル２５ｂの板厚よりも厚いものが使用さ
れている。
【００６１】
この上側パネル２５ａの前端部における車幅方向の中間部分は、クラッシュ管後端壁３
１に溶接にて固定されている。また、下側パネル２５ｂの前端部は、前方に向かうに従っ
て車幅方向における中間部分が上方に向かって凸状に隆起するよう形成されており、この
前端部はこのように隆起した状態で、クラッシュ管後端壁３１に対し溶接にて固定されて
いる。
【００６２】
図５に示すように、サイドフレーム１４の前端部の車両外方側において、上側パネル２
５ａのサイドフレーム１４上面における車幅方向端部は、車両外方側に移行するに従って
サイドフレーム１４の略下面の高さに至るまで大きく下方を指向するよう延設され、サイ
ドフレーム１４の略下面の高さ付近で、サイドフレーム１４の車幅方向外方側に向けて略
水平に延設されている。
【００６３】
また、車両外方側において、下側パネル２５ｂの上述の車幅方向中間部における隆起し
た部分の車幅方向端部は、下方を指向するよう延設される上側パネル２５ａに沿うように
、サイドフレーム１４の略下面の高さに至るまで下方を指向して延設されている。このと
き、下側パネル２５ｂは、上側パネル２５ａに重なる。下側パネル２５ｂは、サイドフレ
ーム１４の略下面の高さ付近では、サイドフレーム１４の車幅方向外方側に向けて略水平
に延設されている。このように、サイドフレーム１４の前端部の車両外方側では、互いに
重なった上側パネル２５ａと下側パネル２５ｂとが接合されることで、車両前後方向に亘
って車両外方側に延設された略平坦なフランジ部３２が形成される。
【００６４】
同様に、サイドフレーム１４の前端部の車両内方側においても、上側パネル２５ａのサ
イドフレーム１４上面における車幅方向端部は、車両内方側に移行するに従ってサイドフ
レーム１４の略下面の高さに至るまで下方を指向するよう延設され、サイドフレーム１４
の略下面の高さ付近で、サイドフレーム１４の車幅方向外方側に向けて略水平に延設され
ている。但し、車両外方側に比べて、上側パネル２５ａの下方を指向する傾斜度合は緩や
かである。
【００６５】
また、同様に、下側パネル２５ｂに関しても、サイドフレーム１４の前端部の車両内方
側において、下側パネル２５ｂの隆起した部分の車幅方向端部は、下方を指向して延設さ
れる緩やかな傾斜の上側パネル２５ａに沿うように、サイドフレーム１４の略下面の高さ
に至るまで下方を指向して延設されている。そして、下側パネル２５ｂは、上側パネル２
５ａに重なるようにして下方に延設され、サイドフレーム１４の略下面の高さ付近で、サ
イドフレーム１４の車幅方向内方側に向けて略水平に延設されている。こうして、車両内
方側でも、互いに重なった上側パネル２５ａと下側パネル２５ｂとが接合されることで、
車両前後方向に亘って車両内方側に延設された略平坦なフランジ部３３が形成される。
【００６６】
尚、上側パネル２５ａと下側パネル２５ｂとは、フランジ部３２、及びフランジ部３３
において、それぞれのパネル同士が溶接により接合されている。（フランジ結合）
また、内方側においては、サイドフレーム１４の上面近傍及びフランジ部３３に、それ
ぞれ前側クロスメンバ１５端部の上面及び下面が接合されている。
【００６７】
このような構成により、車幅方向断面において、上側パネル２５ａの上方側部分と、下
側パネル２５ｂの上面とにより囲まれる略四角形の閉断面Ｏと、この閉断面Ｏの車幅方向
の両端部から下方側に向けてクラッシュ管２２の下面の高さ近傍まで延設される、上側パ
ネル２５ａの下方側部分と下側パネル２５ｂの側壁とが重なった下方側壁面Ｐ１，Ｐ２と
が形成されることになる。（図５参照）
また、図５において、二点破線Ｍは、クラッシュ管２２におけるフランジ部２２ａ直前
の後端部の輪郭を示している。
【００６８】
これによると、フランジ部３２及びフランジ部３３の高さとクラッシュ管２２後端部の
下面の高さとは略同じ高さとなるようこれらは近接して位置している。
【００６９】
また、サイドフレーム１４より車両外方側で上側パネル２５ａが下方に延設されて形成
されるサイドフレーム１４の外方側側壁は、車両前後方向から見て、クラッシュ管２２の
車両外方側側壁と略重なるよう位置して、クラッシュ管後端壁３１に接合されている。
【００７０】
更に、サイドフレーム１４より車両内方側で上側パネルが下方に緩やか延設されること
で形成されるサイドフレーム１４の内方側側壁は、車両前後方向から見て、これより前方
側に向かうに連れて、サイドフレーム１４の車幅方向断面形状が四角形に近づくように傾
きが大きくなり、クラッシュ管２２の車両内方側側壁と略重なるよう位置した状態で、ク
ラッシュ管後端壁３１に接合されている。
【００７１】
フランジ部３２とフランジ部３３とに囲まれる、下側パネル２５ｂが上方に隆起する部
分は、下方から見て窪んだ形状の窪み部３４が形成されることになる。
【００７２】
この下側パネル２５ｂによる窪み部３４とこの窪み部３４の上方に位置する上側パネル
２５ａとを貫通するように、前端支持部１８としての、内外筒式のラバーブッシュ３５が
設置される。
【００７３】
次に、ラバーブッシュ３５について詳細に説明すると、ラバーブッシュ３５は、サイド
フレーム１４の上面から、窪み部３４に掛けて貫通するよう上側パネル２５ａと下側パネ
ル２５ｂとに接合される鋼鉄製の外筒部３６と、それより小径の内筒部３７が同心円状に
設けられている。また外筒部３６及び内筒部３７とも、上方側は、サイドフレーム１４の
上面より延出しており、この延出した上方の端部は、外周方向に向かって略水平に延設さ
れるそれぞれ上端外周縁部３６ａと上端外周縁部３７ａとが形成されている。尚、この場
合、内筒部３７の上端外周縁部３７ａに対し、外筒部３６の上端外周縁部３６ａの方が、
下方に位置する。
【００７４】
円筒状のラバー３８は、外筒部３６と内筒部３７とにより囲まれる空間内に嵌挿されて
いる。このラバー３８は、上方側で、上述の内筒部３７の上端外周縁部３７ａと外筒部３
６の上端外周縁部３６ａとにより囲まれる空間において、外周側に延設されるラバー３８
の上端外周縁部３８ａが嵌挿されるように延設されている。
【００７５】
一方、ラバー３８の下端側は、サイドフレーム１４の上面の高さと窪み部３４の高さと
の略中間位置に、位置するよう構成される。
【００７６】
このようなラバーブッシュ３５に対して、フロントサイドフレーム２の前端部２ａから
、前端部２ａに固定されるとともに下方に向かうボルト３９が延設されており、ラバーブ
ッシュ３５の内筒部３７の内部にボルト３９は嵌挿されている。そして、前端部２ａの下
端と内筒部３７の上端部とが当接した状態において、Ｏリング４０が外筒部３６と内筒部
３７とのそれぞれ下端部に当接するように、ボルト３９の下方側には、ナット４１が締結
されている。
（サイドフレーム１４の前端支持部１８の構造における作用及び効果）  
以上のような前端支持部１８の構造により、次のような作用及び効果を奏す。
【００７７】
つまり、通常、車両には燃費を向上する目的で軽量化が求められているが、これは位置
部品のラバーブッシュ３５も例外ではない。
【００７８】
また、本実施形態においては、サイドフレーム１４は、前方側からの衝突荷重に抗する
ようにしっかりと固定させる必要はある。しかし、サイドフレーム１４自体は、中間支持
部２１と、後端支持部１９とによりラバーブッシュ３５を介して強固に固定されており、
サイドフレーム１４の前端支持部１８を介してフロントサイドフレーム２に入力される振
動や荷重などの影響は少ない。また、サイドフレーム１４前端部には、軽量のクラッシュ
管２２等が設けられるだけで、この部分は比較的軽量である。これらのことから、前端支
持部１８によるフロントサイドフレーム２へのサイドフレーム１４の支持は大掛りにする
必要がない。そこで、本実施形態においては、ラバーブッシュ３５への更なる軽量化を図
っている。
【００７９】
ラバーブッシュ３５の軽量化には、小型化、つまり、振動低減等を考慮してラバーブッ
シュ３５、つまり外筒部３６と内筒部３７とラバー３８をそれぞれ上下方向に短くすれば
よい。更に、外筒部３６と内筒部３７とラバー３８とを短くした上で、更にラバー３８だ
けの長さも短くすることで、より軽量化が可能となる。
【００８０】
しかし、このようにラバーブッシュ３５を短くした場合、通常であればラバーブッシュ
３５の直ぐ下方側の下側パネル２５ｂを隆起させず、本実施形態のような窪み部３４を設
けない構成が考えられる。この場合、ラバーブッシュ３５の外筒部３６の下端部を支持す
るために、上側パネル２５ａと下側パネル２５ｂとの略中心の位置に、本実施形態におけ
る隆起した下側パネル２５ｂのような略水平の補強部材を、下側パネル２５ｂとは別に新
たに設ける必要がある。しかしながら、このような補強部材の設置により生産性が悪化す
るといった問題が生じる。
【００８１】
これに対し、本実施形態では、サイドフレーム１４の前端部及びその近傍には、車幅方
向断面において、ラバーブッシュ３５が設置される略四角形の閉断面Ｏと、この閉断面の
車幅方向両端部から、衝撃吸収部材の下面が位置する高さ付近まで延設される下方側壁面
Ｐ１，Ｐ２とを形成するとともに、これらを車両前後方向に亘って延設させた。具体的に
は、ラバーブッシュ３５の下方側において、下側パネル２５ｂを隆起されて窪み部３４を
形成した。これにより、補強部材を別途設けることなく簡単に、ラバーブッシュ３５の短
縮化が可能となる。しかも、略四角形の閉断面Ｏと、下方側壁面Ｐ１，Ｐ２とにより、ラ
バーブッシュ３５を短くするための窪み部３４が形成されることで生じるサイドフレーム
１４の前端部及びその近傍の剛性低下を抑制することができ、これによりクラッシュ管２
２の支持剛性を向上でき、クラッシュ管２２による衝撃エネルギーの吸収性を高めること
が可能となる。
【００８２】
また、前端支持部１８による車体フレームへの支持剛性も向上するため、車両の衝突時
に、衝突荷重をフロントサイドフレーム２，２に積極的に伝達して、上述の屈曲促進部２
４等を利用したフロントサブフレーム１７による衝突荷重の更なる低減が可能となる。
【００８３】
また、車幅方向の両端には、サイドフレーム１４の略下面の高さに位置し、この下面に
近接するようフランジ部３２及びフランジ部３３を設けているため、クラッシュ管２２の
直ぐ後方であり車両前後方向の高い剛性が要求される部分に対して、この左右のフランジ
部３２，３３により、特に前後方向の剛性を向上でき、サイドフレーム１４の前端部及び
その近傍における前後方向の剛性を大幅に低下させることがない。
【００８４】
また、本実施形態においては、上側パネル２５ａが下側パネル２５ｂよりも板厚が厚い
ものが使用されており、更に、サイドフレーム１４の窪み部３４が形成される付近では、
上側パネル２５ａが下側パネル２５ｂを上方から略全体を覆うように設けられている。こ
れにより、上側パネル２５ａは、サイドフレーム１４の側壁面を形成するとともに、その
下方部で下側パネル２５ｂと重なり合っている。このような構成によって、この窪み部３
４によりサイドフレーム１４の車幅方向断面積が低下して剛性が低下するのを、厚い板厚
の上側パネル２５ａがサイドフレームの側壁面を形成することで抑制でき、全体的に高い
剛性を維持できる。
【００８５】
特に、本実施形態では、上側パネル２５ａは、下側パネル２５ｂと側壁面の下方部で重
なった状態で、サイドフレーム１４の下面まで延設され、それから車幅方向に向かって、
上側パネル２５ａと下側パネル２５ｂとが重なったフランジ部３２，３３が形成されるた
め、より高い剛性の維持が可能となる。
【００８６】
また、窪み部３４により、ナット４１をボルト３９に締結させる作業も比較的大きな窪
み部３４により行なえるため、締結作業性の向上も可能となる。
【００８７】
尚、本発明においては、必ずしも、上側パネル２５ａの板厚を厚くする必要はなく、上
側パネル２５ａと下側パネル２５ｂの板厚が略同じか、あるいは下側パネル２５ｂの板厚
の方を厚くしても構わない。
（サイドフレーム１４の後端支持部１９の取り付け構造周辺について）
次に、サイドフレーム１４，１４の後端部の取り付け構造周辺について説明する。
【００８８】
図１に示すように、フロアフレーム３，３の前端部における車両内方側のフロアパネル
８には、フロアフレーム３，３に隣接して、取付部４２，４２が形成されており、サイド
フレーム１４，１４の後端支持部１９，１９は、ラバーブッシュ４３，４３を介して、こ
の取付部４２，４２に連結支持される。
【００８９】
尚、取付部４２，４２の下面は（但し、路面側が下）、後端支持部１９，１９付近にお
いて、後方程下方に傾斜するフロアフレーム３，３の下面よりも高くなるよう形成されて
いる。（図６及び図７参照）
また、取付部４２，４２において、後端支持部１９，１９を支持した部分の直ぐ後方側
には、取付部４２、４２の下面よりも一段下方に下がった位置に、下方側に突出するよう
ストッパ部４２ａ，４２ａ（突起部）が形成されるとともに、このストッパ部４２ａ，４
２ａより車両内方側には、フロアフレーム３，３から分岐するとともに、取付部４２，４
２から後方側に延設するよう、取付部４２，４２の下面と略同じ高さで、分岐フレーム４
４，４４が形成されている。尚、分岐フレーム４４，４４の前端部で、フロアフレーム３
，３から分岐した部分（本実施形態では、取付部４２，４２も含む）を分岐部４４ａ，４
４ａと称す。
分岐フレーム４４，４４の後方部分の車幅方向の両端は、分岐フレーム４４，４４の下面
より一段高いフロアパネル８が位置している。
このストッパ部４２ａ，４２ａも、フロアフレーム３，３の車両内方側に隣接しているが
、ストッパ部４２ａ，４２ａの全部、あるいは少なくとも後方部を含む大部分の下面は、
後方程下方に傾斜するフロアフレーム３，３の下面よりも高くなるよう形成されている。
（図７及び図８参照）
取付部４２，４２の前端側で、後端支持部１９，１９が位置する部分の車両内方側には
、左右の取付部４２，４２を橋渡すようにダッシュクロスメンバ４５が、トンネル部１１
に沿って車幅方向に延設されている。このダッシュクロスメンバ４５の下面は、取付部４
２，４２に隣接する部分において、取付部４２，４２の下面よりも一段高く、且つ周辺の
フロアパネル８よりも一段低く形成されている。
【００９０】
ストッパ部４２ａ，４２ａとフロアフレーム３，３のストッパ部４２ａ，４２ａに隣接
する部分と、後端支持部１９，１９との下方側には、これらを覆うようにカバー部４６，
４６（特許請求の範囲の「延設支持部」に相当）が設けられている。ストッパ部４２ａ，
４２ａには、ボルト孔４７，４７が形成され、フロアフレーム３，３にはボルト孔４８，
４８が形成されており、これらのボルト孔に対し、カバー部４６，４６を介してボルトを
締結することで、カバー部４６，４６は固定されている。また、カバー部４６，４６は、
ラバーブッシュ４３，４３を介して後端支持部１９，１９を支持しており、これにより、
サイドフレーム１４の後端の落下を阻止している。
【００９１】
次に、取付部４２及びストッパ部１２ａ及びこれらの周辺構造について、図６乃至図８
を参照して、詳細に説明する。
【００９２】
図６示すように、後端支持部１９付近において、フロアパネル８には、車両前後方向か
ら見て断面が矩形状で上方が開口した凹状のフロアフレームパネル３ａが、接合されてお
り、その上下方向の中間部分には、前後方向に亘ってフロアフレームパネル３ａの側面を
連結するレインフォースメント３ｂが設けられている。また、フロアフレームパネル３ａ
の下面を覆うように、接続フレーム１３を形成する断面が矩形状で上方が開口した凹状の
接続フレームパネル１３ａが、フロアフレーム３の下面に接合されており、これによりフ
ロアフレーム３の補強と、フロアフレーム３と接続フレーム１３との連結が図られている
。尚、フロアフレーム３は、この後端支持部１９付近においては、後方側に向かうほど下
方に向けて傾斜していており、この図によると、接続フレーム１３の下面の方がフロアフ
レーム３の下面よりも低く位置している。
【００９３】
フロアフレームパネル３ａの車両内方側側面の上下方向の中心部分には、ダッシュクロ
ス端部パネル４５ａの車両外方側端部が接合さるとともに、フロアフレームパネル３ａの
内方側側面の下方側で、フロアフレームパネル３ａの下面よりも若干高い位置には、取付
部４２を形成する取付部パネル４２ｂの車両外方側端部が接合されている。
【００９４】
また、ダッシュクロス端部パネル４５ａの車両内方側には、車両の中心部にかけては、
ダッシュクロスメンバ４５を形成するダッシュクロスメンバパネル４５ｂがフロアパネル
８に接合されている。このとき、このダッシュクロスメンバパネル４５ｂの車両外方側の
端部の下面に、ダッシュクロス端部パネル４５ａの内方側端部及び取付部パネル４２ｂの
内方側端部とが重なり合うように接合固定されており、これにより、取付部４２及びダッ
シュクロスメンバ４５の端部の補強が成されている。
【００９５】
ダッシュクロス端部パネル４５ａには、ボルト４９の基部が下方を指向して固定されて
おり、ボルト４９はその下の取付部パネル４２ｂ及びカバー部４６を貫通して、更に下方
に延設されている。サイドフレーム１４後端支持部１９のラバーブッシュ４３は、内外筒
式であり、サイドフレーム１４の後端に接合された外筒４３ａ（図７参照）と内筒４３ｂ
との間に、リング状の上部ラバー４３ｃ及び下部ラバー４３ｄが嵌挿されており、上部ラ
バー４３ａの上端部は、取付部パネル４２ｂの下面に接触しており、下部ラバー４３ｄの
下端部は、カバー部４６の上面に接触している。
【００９６】
カバー部４６を貫通したボルト４９には、ナット５０が締結されており、これによりカ
バー部４６と取付部パネル４２ｂとの間にラバーブッシュ４３が、上部ラバー４３ｃと下
部ラバー４３ｄとを介して挟み込まれ、よってサイドフレーム１４の後端部は取付部４２
に対して振動低減可能に固定されている。
【００９７】
図７は、この後端支持部１９周辺を車幅方向から見た図面であるが、これによると、フ
ロアパネル８は、前方側から後方側に向かうに連れて下方に向かうよう傾斜しており、こ
れに沿って、フロアフレーム３の下面（図７の二点破線Ｎ）もフロアパネル８より下方側
に所定距離離間した位置で、同様に傾斜している。
フロアパネル８の傾斜している部分には、ダッシュクロス端部パネル４５ａが接合されて
おり、ダッシュクロス端部パネル４５ａの後方側には、ダッシュクロス端部延長部４５ｃ
が延設され、ダッシュクロスメンバ４５の端部の補強が成されている。
【００９８】
取付部パネル４２ｂは、その前端は、ダッシュクロス端部パネル４５ａの前端に接合さ
れて、それから後方に向かうに連れて下方側に隆起して取付部４２を形成している。更に
、取付部４２の下面の後端からは連続して更に下方側に隆起し、これによりストッパ部４
２ａを形成しており、ストッパ部４２ａの後端は、上方に延設してフロアパネル８に接合
されている。
【００９９】
このように取付部４２とストッパ部４２ａとを、取付部パネル４２ｂにより形成するこ
とで、これらの連結剛性を高めている。
【０１００】
カバー部４６は、後端支持部１９付近から後方に向かうに連れて上方に傾斜して、スト
ッパ部４２ａを形成する取付部パネル４２ｂの下面と接触しており、この接触した部分に
おいては、カバー部４６を介して、ボルト５１がボルト孔４７に締結されており、これに
より、カバー部４６とストッパ部４２ａの下面とが螺着固定されている。
【０１０１】
このように、後端支持部１９、つまりラバーブッシュ４３の上部は、後方に向かうに連
れ下方に延設される、連続した取付部パネル４２ｂによりストッパ部４２ａに連結され、
ラバーブッシュ４３の下部は、後方に向かうに連れ上方に延設される、連続したカバー部
４６によりストッパ部４２ａに連結されるため、サイドフレーム１４後端部と、ストッパ
部４２ａとの連結剛性を強化できる。
【０１０２】
図８は、ボルト５１の締結位置近傍を、車両前後方向から見た図である。
【０１０３】
これによると、フロアフレーム３は、フロアフレームパネル３ａとレインフォースメン
ト３ｂとで形成され、接続フレーム１３は、接続フレーム１３ａにより形成されている点
は、図６と略同じである。
【０１０４】
フロアフレームパネル３ａの車両内方側側面の下方部で、フロアフレームパネル３の下
面より若干上方側に、ストッパ部４２ａを形成する取付部パネル４２ｂの車両外方側端部
が、フロアフレーム３の下面の車幅方向における略半分を覆うように接合されている。
【０１０５】
また、フロアフレーム３より、車幅方向で車両内方側に所定距離離間したフロアパネル
８には、取付部４２から後方に延設される分岐フレーム４４を形成する分岐フレームパネ
ル４４ａが固定されている。
【０１０６】
上述のストッパ部４２ａを形成する取付部パネル４２ｂにおいて、その車幅方向の車両
内方側端部は、この分岐フレームパネル４４ａの下面を覆うように接合されている。
【０１０７】
このような構成により、フロアフレーム３及び分岐フレーム４４の双方に対し、ストッ
パ部４２ａは、高い剛性で連結されることになる。
（サイドフレーム１４の後端支持部１９の取り付け構造及びその周辺構造における作用、
効果について）
以上のような構成により、ストッパ部４２ａは、サイドフレーム１４の後端支持部１９
に直ぐ後方側に配置されるので、車両の前方衝突時において、サイドフレーム１４に対し
前方から後方にかけて大きな衝突荷重が作用して、後端支持部１９から取付部４２に後方
側を指向した衝突荷重が伝達されると、この衝突荷重は、更にストッパ部４２ａに伝達さ
れることになる。この時、ストッパ部４２ａは、分岐部４４ａの近傍で、フロアフレーム
３に隣接して配置されているため、衝突荷重を分岐フレーム４４とフロアフレーム３とに
分散して伝達させることができ、これにより衝突エネルギーの分散吸収が可能となり、サ
イドフレーム１４の後退、つまりフロントサブフレーム１７の後退を確実に抑制すること
で車体前部の損壊を極力抑制可能となる。
【０１０８】
また、衝突荷重が大きく、前方衝突によりサイドフレーム１４が実際に後退して後端支
持部１９がストッパ部４２ａに当接した場合でも、フロントサブフレーム１７の更なる後
退を抑制して、車体前部の損壊を抑制可能となる。
【０１０９】
車両と、車両の車体フレーム１前端部と略同じ高さかそれより高い障害物とが前方衝突
した時には、衝突荷重は、フロントサブフレーム１７よりも主にフロントサイドフレーム
２を介してフロアフレーム３に伝達される。この場合においても、フロアフレーム３には
ストッパ部４２ａが隣接するよう形成されており、これによりフロアフレーム３の剛性が
増大されているため、伝達された衝突荷重に対するフロアフレーム３による衝撃エネルギ
ーの吸収性を向上できる。また、剛性の高いストッパ部４２ａにより、フロアフレーム３
に作用する衝突荷重の一部を分岐フレーム４４にも伝達して、より衝撃エネルギーの吸収
性を向上できる。
【０１１０】
また、取付部４２の高さは、フロアフレーム３の高さよりも高くしているため、走行中
、隆起した路面に取付部周辺が接触するような場合でも、路面が取付部４２に直接接触し
て、取付部４２が破損し、フロントサブフレーム１７の車体フレーム１への支持を悪化さ
せるといった頻度を大幅に減少できる。従って、取付部４２が破損した状態で前方衝突す
ることを極力避けることができるため、衝撃エネルギーの吸収性向上とフロントサブフレ
ーム１７の大幅な後退抑制とが可能となる。
【０１１１】
また、後端支持部１９の上部と下部とは、それぞれ取付部４２とカバー部４６を介して
、ストッパ部４２ａに高剛性で連結されており、これにより、車両の前方衝突時にサイド
フレーム１４に作用する後方への大きな衝突荷重を、効率よくストッパ部４２ａに伝達で
きる。この結果、上述のような分岐フレーム４４とフロアフレーム３とによる衝突エネル
ギーの分散吸収性を更に向上できる。
【０１１２】
また、フロアフレーム３よりも若干高い位置に配置されたストッパ部４２ａにより、カ
バー部４６を介して、後端支持部１９の下方を支持するため、後端支持部１９の下方の支
持構造が、フロアフレーム３よりも大きく下方に配設されて、車体の下面と路面との距離
が短くなるのを阻止できる。よって、走行中、隆起した路面にストッパ部４２ａ周辺が接
触するような場合でも、路面がストッパ部４２ａに直接接触して、ストッパ部４２ａが破
損する頻度を大幅に減少可能となり、ストッパ部４２ａによるフロントサブフレーム１７
の後端支持部１９への連結支持剛性が悪化した状態で前方衝突する可能性を、極力低減で
きる。
【０１１３】
また、取付部４２は、高剛性となるよう形成されたダッシュクロスメンバ４３の端部に
も連結されているため、車両の前方衝突時にサイドフレーム１４に作用する衝突荷重をダ
ッシュクロスメンバ４３、及びこれを介して車幅方向における対面側のフロアフレーム３
にも伝達して、衝突エネルギーの分散吸収性をより高めることが可能となる。
【０１１４】
また、フロアフレーム３の取付部４２より車両外方側で、且つ後方側には、フロアフレ
ーム３に隣接して接続フレーム１３が形成されているため、車両の前方衝突時にサイドフ
レーム１４に作用する衝突荷重を、接続フレーム１３、及びこれを介してサイドシル１２
にも伝達でき、これにより、更なる衝突エネルギーの分散吸収性向上が可能となる。
（他の実施形態）
尚、本実施形態においは、分岐部４４ａは、取付部４２を含んでおり、分岐部４４ａの
後端にストッパ部４２ａを隣接させたが、本発明はこれに限らない。例えば、分岐部４４
ａ、取付部４２、ストッパ部４２ａとをそれぞれ独立させて、フロアパネル８から下方側
に突出させるとともに、取付部４２の後方に、ストッパ部４２ａを含む分岐部４４ａを近
接配置したり、あるいは、取付部４２、ストッパ部４２ａ、分岐部４４ａの順でこれらを
近接配置させてもよい。但し、この場合であっても、ストッパ部は、フロアフレーム３に
隣接するよう配置される。
【図面の簡単な説明】
【０１１５】
【図１】本実施形態に係るフロントサブフレーム１７及び車体フレーム１等を車両の下面から見た図。
【図２】図１のＡ−Ａ断面図。
【図３】フロントサイドフレーム１７のみを斜め前方から見た斜視図。
【図４】図１のＢ−Ｂ断面図。
【図５】図１のＣ−Ｃ断面図。
【図６】図１のＤ−Ｄ断面図。
【図７】図１のＥ−Ｅ断面図。
【図８】図１のＦ−Ｆ断面図。
【符号の説明】
【０１１６】
１：車体フレーム
２：フロントサイドフレーム
１４：サイドフレーム
１７：フロントサブフレーム
１８：前端支持部
１９：後端支持部
２１：中間支持部
２２：クラッシュ管（衝撃吸収部材）
２３：レインフォースメント
２４：屈曲促進部
２５：前方部
２５ａ：上側パネル
２５ｂ：下側パネル
２６：後方部
２６ａ：前方部前側部位（幅縮小部）
２６ｂ：前方部後側部位（幅拡大部）
２７：フロント側ロアアーム支持部
２８：リア側ロアアーム支持部
３２，３３：フランジ部
３４：窪み部
３５：ラバーブッシュ
４２：取付部
４２ａ：ストッパ部（突出部）
４３：ラバーブッシュ
４４：分岐フレーム
４４ａ：分岐部
４５：ダッシュクロスメンバ
４６：カバー部（延設支持部）
Ｏ：閉断面
Ｐ１：下方側壁面
Ｐ２：下方側壁面
【図１】
0004622284.tif 000002
【図２】
0004622284.tif 000003
【図３】
0004622284.tif 000004
【図４】
0004622284.tif 000005
【図５】
0004622284.tif 000006
【図６】
0004622284.tif 000007
【図７】
0004622284.tif 000008
【図８】
0004622284.tif 000009